(57)【特許請求の範囲】
【請求項１】
訪問担当者に割り当てられている訪問先の場所と、当該訪問先への確定済みの訪問予定時間と、当該訪問先における前記訪問担当者の滞在予定時間とを示すスケジュールを訪問担当者ごとに記憶する記憶部と、
前記スケジュールのいずれかに追加予定の訪問先の場所と、当該訪問先における滞在予定時間とを受け付ける予定受付部と、
複数の訪問担当者のそれぞれの前記スケジュールと、前記追加予定の訪問先の場所と、当該訪問先における滞在予定時間とに基づいて、前記追加予定の訪問先への訪問が可能な複数の前記訪問担当者と、当該訪問担当者が訪問可能な時間と、前記滞在予定時間とを示す複数の候補情報を表示部に表示させ、当該複数の候補情報のうち、一つの候補情報の選択を受け付ける候補受付部と、
選択された一つの前記候補情報に対応する前記訪問担当者のスケジュールに、前記追加予定の訪問先の場所と、当該訪問先への訪問予定時間と、当該訪問先における前記滞在予定時間とを示す、前記訪問予定時間が未確定の予定である仮予定を反映させる反映部と、
前記反映部により前記仮予定が反映された日時の前記スケジュールにおいて、前記訪問担当者の当該日時における最後の訪問先への訪問時間が、前記反映部が前記仮予定を反映させた時点の最後の訪問先への訪問時間よりも早くなるように、前記仮予定に対応する訪問予定時間を調整する調整部と、
前記調整部が前記仮予定に対応する訪問予定時間を調整した後に、前記仮予定を確定する確定処理の実行指示を受け付けると、前記調整部により前記訪問予定時間が調整された前記仮予定を確定済の予定に変更することにより、前記仮予定が反映されたスケジュールを確定させ、確定後のスケジュールを前記表示部に表示させる確定処理部と、
を備えるスケジュール管理装置。
【請求項２】
前記予定受付部は、前記追加予定の訪問先への訪問に関する制約情報として、当該訪問先への訪問が許可される時間に関連する情報、及び当該訪問先への訪問が許可されていない時間に関連する情報の少なくともいずれかをさらに受け付け、
前記候補受付部は、前記制約情報にさらに基づいて、前記候補情報を前記表示部に表示させる、
請求項１に記載のスケジュール管理装置。
【請求項３】
前記候補受付部は、前記訪問担当者に設定されている就業時間にさらに基づいて、前記候補情報を前記表示部に表示させる、
請求項１又は２に記載のスケジュール管理装置。
【請求項４】
前記候補受付部は、前記訪問担当者に設定されている残業可能時間にさらに基づいて、前記候補情報を前記表示部に表示させる、
請求項３に記載のスケジュール管理装置。
【請求項５】
前記調整部は、前記スケジュールに、前記仮予定が複数存在する場合には、複数の前記仮予定のいずれか一の仮予定を最初の訪問場所とした場合に取り得る全ての訪問順について、途中までの訪問順の評価を行い、当該評価が低い訪問順を評価対象外とするとともに、以降の訪問順の評価を行うことにより、複数の前記仮予定の訪問順を、相対的に評価が高い訪問順に調整する、
請求項１から４のいずれか１項に記載のスケジュール管理装置。
【請求項６】
前記予定受付部は、複数の前記訪問担当者のうち、一の訪問担当者の一の日付に対応するスケジュールに追加予定の訪問先の場所を複数受け付け、
前記反映部は、前記予定受付部により複数受け付けた前記追加予定の訪問先の場所を複数の仮予定として、前記一の訪問担当者の前記一の日付に対応するスケジュールに反映し、
前記調整部は、前記一の訪問担当者の前記一の日付に対応するスケジュールについて、前記訪問担当者の当該日時における最後の訪問先への訪問時間が早くなるように、前記仮予定に対応する訪問予定時間を調整する、
請求項１から５のいずれか１項に記載のスケジュール管理装置。
【請求項７】
前記表示部に、前記訪問先の場所に対応する地図を表示させるとともに、当該地図に、前記スケジュールに対応する前記訪問先の場所を示す画像と、訪問順を示す画像とを表示させる地図表示制御部をさらに備える、
請求項１から６のいずれか１項に記載のスケジュール管理装置。
【請求項８】
前記予定受付部は、前記表示部に表示されている地図を介して、前記スケジュールのいずれかに追加予定の訪問先の場所を受け付ける、
請求項７に記載のスケジュール管理装置。
【請求項９】
前記地図表示制御部は、前記訪問先の場所を示す画像を、当該訪問先への訪問担当者ごとに異なる表示態様で表示させる、
請求項７又は８に記載のスケジュール管理装置。
【請求項１０】
端末と、スケジュール管理装置とを備えるスケジュール管理システムであって、
前記端末は、
訪問担当者に割り当てられている訪問先の場所と、当該訪問先への確定済みの訪問予定時間と、当該訪問先における前記訪問担当者の滞在予定時間とを示すスケジュールを自身の表示部に表示させる表示制御部を有し、
前記スケジュール管理装置は、
前記訪問担当者ごとの前記スケジュールを記憶する記憶部と、
前記スケジュールのいずれかに追加予定の訪問先の場所と、当該訪問先における滞在予定時間とを前記端末から受け付ける予定受付部と、
複数の訪問担当者のそれぞれの前記スケジュールと、前記追加予定の訪問先の場所と、当該訪問先における滞在予定時間とに基づいて、前記追加予定の訪問先への訪問が可能な複数の前記訪問担当者と、当該訪問担当者が訪問可能な時間と、前記滞在予定時間とを示す複数の候補情報を前記端末の表示部に表示させ、前記端末から当該複数の候補情報のうち、一つの候補情報の選択を受け付ける候補受付部と、
選択された一つの前記候補情報に対応する前記訪問担当者のスケジュールに、前記追加予定の訪問先の場所と、当該訪問先への訪問予定時間と、当該訪問先における前記滞在予定時間とを示す、前記訪問予定時間が未確定の予定である仮予定を反映させる反映部と、
前記反映部により前記仮予定が反映された日時の前記スケジュールにおいて、前記訪問担当者の当該日時における最後の訪問先への訪問時間が前記仮予定を反映させた時点の最後の訪問先への訪問時間よりも早くなるように、前記仮予定に対応する訪問予定時間を調整する調整部と、
前記調整部が前記仮予定に対応する訪問予定時間を調整した後に、前記仮予定を確定する確定処理の実行指示を前記端末から受け付けると、前記調整部により前記訪問予定時間が調整された前記仮予定を確定済の予定に変更することにより、前記仮予定が反映されたスケジュールを確定させる確定処理部と、を有し、
前記表示制御部は、前記表示部に前記仮予定を示す情報を前記スケジュールに表示させ、前記仮予定を確定する確定処理の実行指示を受け付ける画像を表示させる、
スケジュール管理システム。
【請求項１１】
コンピュータにより実行される、
訪問担当者に割り当てられている訪問先の場所と、当該訪問先への確定済みの訪問予定時間と、当該訪問先における前記訪問担当者の滞在予定時間とを示す複数の訪問担当者のスケジュールのいずれかに追加予定の訪問先の場所と、当該訪問先における滞在予定時間とを受け付けるステップと、
複数の訪問担当者のそれぞれの前記スケジュールと、前記追加予定の訪問先の場所と、当該訪問先における滞在予定時間とに基づいて、前記追加予定の訪問先への訪問が可能な複数の前記訪問担当者と、当該訪問担当者が訪問可能な時間と、前記滞在予定時間とを示す複数の候補情報を表示部に表示させ、当該複数の候補情報のうち、一つの候補情報の選択を受け付けるステップと、
選択された一つの前記候補情報に対応する前記訪問担当者のスケジュールに、前記追加予定の訪問先の場所と、当該訪問先への訪問予定時間と、当該訪問先における前記滞在予定時間とを示す、前記訪問予定時間が未確定の予定である仮予定を反映させるステップと、
前記仮予定が反映された日時の前記スケジュールにおいて、前記訪問担当者の当該日時における最後の訪問先への訪問時間が前記仮予定を反映させた時点の最後の訪問先への訪問時間よりも早くなるように、前記仮予定に対応する訪問予定時間を調整するステップと、
前記調整するステップにおいて前記仮予定に対応する訪問予定時間が調整された後に、前記仮予定を確定する確定処理の実行指示を受け付けると、前記訪問予定時間が調整された前記仮予定を確定済の予定に変更することにより、前記仮予定が反映されたスケジュールを確定させるステップと、
前記確定するステップにより前記仮予定が反映された、確定後のスケジュールを前記表示部に表示させるステップと、
を備えるスケジュール管理方法。
【発明の詳細な説明】
【技術分野】
【０００１】
本発明は、スケジュール管理装置、スケジュール管理システム、及びスケジュール管理方法に関する。
【背景技術】
【０００２】
従来、複数の既存顧客等の訪問先に営業担当等の訪問担当者が巡回訪問し、商談を行うルートセールスを支援することが行われている。例えば、特許文献１には、訪問担当者の訪問先を指示するとともにその訪問先に関する情報を含む訪問指示情報を作成して、訪問担当者が所有するモバイル端末に送信し、モバイル端末から訪問先での訪問結果情報を受信したことに応じて受注処理や入金処理等を行う営業支援システムが開示されている。
【先行技術文献】
【特許文献】
【０００３】
【特許文献１】特開２００２−３１２５６３号公報
【発明の概要】
【発明が解決しようとする課題】
【０００４】
特許文献１に記載の営業支援システムは、訪問担当者のスケジュールを考慮して、訪問担当者の訪問先を指示することができないという問題がある。このため、訪問担当者に対して訪問指示を行う管理者等は、訪問担当者のスケジュールを確認して、訪問指示が可能な訪問担当者や、当該訪問担当者が訪問先に訪問するのに最適な時間を特定する必要があり、当該特定作業に時間がかかるという問題があった。
【０００５】
そこで、本発明はこれらの点に鑑みてなされたものであり、訪問先への訪問に係るスケジュールを効率的に作成することができるスケジュール管理装置、スケジュール管理システム、及びスケジュール管理方法を提供することを目的とする。
【課題を解決するための手段】
【０００６】
本発明の第１の態様に係るスケジュール管理装置は、訪問担当者に割り当てられている訪問先の場所と、当該訪問先への訪問予定時間と、当該訪問先における前記訪問担当者の滞在予定時間とを示すスケジュールを訪問担当者ごとに記憶する記憶部と、前記スケジュールのいずれかに追加予定の訪問先の場所と、当該訪問先における滞在予定時間を受け付ける予定受付部と、複数の訪問担当者のそれぞれの前記スケジュールと、前記追加予定の訪問先の場所と、当該訪問先における滞在予定時間とに基づいて、前記追加予定の訪問先への訪問が可能な前記訪問担当者と、当該訪問担当者が訪問可能な時間と、前記滞在予定時間とを示す候補情報を表示部に表示させ、当該候補情報の選択を受け付ける候補受付部と、選択された前記候補情報に基づいて、前記訪問担当者のスケジュールに、前記追加予定の訪問先の場所と、当該訪問先への訪問予定時間と、当該訪問先における前記滞在予定時間とを仮予定として反映させる反映部と、を備える。
【０００７】
前記予定受付部は、前記追加予定の訪問先への訪問に関する制約情報として、当該訪問先への訪問が許可される時間に関連する情報、及び当該訪問先への訪問が許可されていない時間に関連する情報の少なくともいずれかをさらに受け付け、前記候補受付部は、前記制約情報にさらに基づいて、前記候補情報を前記表示部に表示させてもよい。
【０００８】
前記候補受付部は、前記訪問担当者に設定されている就業時間にさらに基づいて、前記候補情報を前記表示部に表示させてもよい。
前記候補受付部は、前記訪問担当者に設定されている残業可能時間にさらに基づいて、前記候補情報を前記表示部に表示させてもよい。
【０００９】
前記反映部により前記仮予定が反映された日時の前記スケジュールについて、前記訪問担当者の当該日時における最後の訪問先への訪問時間が早くなるように、前記仮予定に対応する訪問予定時間を調整する調整部をさらに備えてもよい。
【００１０】
前記調整部は、前記スケジュールに、前記仮予定が複数存在する場合には、複数の前記仮予定のいずれか一の仮予定を最初の訪問場所とした場合に取り得る全ての訪問順について、途中までの訪問順の評価を行い、当該評価が低い訪問順を評価対象外とするとともに、以降の訪問順の評価を行うことにより、複数の前記仮予定の訪問順を、相対的に評価が高い訪問順に調整してもよい。
【００１１】
前記予定受付部は、複数の前記訪問担当者のうち、一の訪問担当者の一の日付に対応するスケジュールに追加予定の訪問先の場所を複数受け付け、前記反映部は、前記予定受付部により複数受け付けた前記追加予定の訪問先の場所を複数の仮予定として、前記一の訪問担当者の前記一の日付に対応するスケジュールに反映し、前記調整部は、前記一の訪問担当者の前記一の日付に対応するスケジュールについて、前記訪問担当者の当該日時における最後の訪問先への訪問時間が早くなるように、前記仮予定に対応する訪問予定時間を調整してもよい。
【００１２】
前記スケジュール管理装置は、前記表示部に、前記訪問先の場所に対応する地図を表示させるとともに、当該地図に、前記スケジュールに対応する前記訪問先の場所を示す画像と、訪問順を示す画像とを表示させる地図表示制御部をさらに備えてもよい。
【００１３】
前記予定受付部は、前記表示部に表示されている地図を介して、前記スケジュールのいずれかに追加予定の訪問先の場所を受け付けてもよい。
前記地図表示制御部は、前記訪問先の場所を示す画像を、当該訪問先への訪問担当者ごとに異なる表示態様で表示させてもよい。
【００１４】
本発明の第２の態様に係るスケジュール管理システムは、端末と、スケジュール管理装置とを備えるスケジュール管理システムであって、前記端末は、訪問担当者に割り当てられている訪問先の場所と、当該訪問先への訪問予定時間と、当該訪問先における前記訪問担当者の滞在予定時間とを示すスケジュールを自身の表示部に表示させる表示制御部を有し、前記スケジュール管理装置は、前記訪問担当者ごとの前記スケジュールを記憶する記憶部と、前記スケジュールのいずれかに追加予定の訪問先の場所と、当該訪問先における滞在予定時間とを前記端末から受け付ける予定受付部と、複数の訪問担当者のそれぞれの前記スケジュールと、前記追加予定の訪問先の場所と、当該訪問先における滞在予定時間とに基づいて、前記追加予定の訪問先への訪問が可能な前記訪問担当者と、当該訪問担当者が訪問可能な時間と、前記滞在予定時間とを示す候補情報を前記端末の表示部に表示させ、前記端末から当該候補情報の選択を受け付ける候補受付部と、選択された前記候補情報に基づいて、前記訪問担当者のスケジュールに、前記追加予定の訪問先の場所と、当該訪問先への訪問予定時間と、当該訪問先における前記滞在予定時間とを仮予定として反映させる反映部とを有し、前記表示制御部は、前記表示部に前記仮予定を示す情報を前記スケジュールに表示させてもよい。
【００１５】
本発明の第３の態様に係るスケジュール管理方法は、コンピュータにより実行される、訪問担当者に割り当てられている訪問先の場所と、当該訪問先への訪問予定時間と、当該訪問先における前記訪問担当者の滞在予定時間とを示す複数の訪問担当者のスケジュールのいずれかに追加予定の訪問先の場所と、当該訪問先における滞在予定時間とを受け付けるステップと、複数の訪問担当者のそれぞれの前記スケジュールと、前記追加予定の訪問先の場所と、当該訪問先における滞在予定時間とに基づいて、前記追加予定の訪問先への訪問が可能な前記訪問担当者と、当該訪問担当者が訪問可能な時間と、前記滞在予定時間とを示す候補情報を表示部に表示させ、当該候補情報の選択を受け付けるステップと、選択された前記候補情報に基づいて、前記訪問担当者のスケジュールに、前記追加予定の訪問先の場所と、当該訪問先への訪問予定時間と、当該訪問先における前記滞在予定時間とを仮予定として反映させるステップと、を備える。
【発明の効果】
【００１６】
本発明によれば、訪問先への訪問に係るスケジュールを効率的に作成することができるという効果を奏する。
【図面の簡単な説明】
【００１７】
【図１】本実施形態に係るスケジュール管理システムの概要を示す図である。
【図２】本実施形態に係るスケジュール管理装置の構成を示す図である。
【図３】スケジュール管理画面の一例を示す図である。
【図４】スケジュール管理画面に地図が表示された状態の一例を示す図である。
【図５】スケジュール管理画面に候補情報が表示された状態の一例を示す図である。
【図６】スケジュール管理画面に仮予定が表示された状態の一例を示す図である。
【図７】リルート処理及び確定処理を説明する図である。
【図８】担当者別スケジュール画面の一例を示す図である。
【図９】スケジュール管理画面が表示されている場合における訪問先の追加に係るスケジュール管理装置の処理の流れを示すフローチャートである。
【図１０】担当者別スケジュール画面における訪問先の追加に係るスケジュール管理装置の処理の流れを示すフローチャートである。
【発明を実施するための形態】
【００１８】
［スケジュール管理システムＳの概要］
図１は、本実施形態に係るスケジュール管理システムＳの概要を示す図である。スケジュール管理システムＳは、スケジュール管理装置１と、端末２とを備え、例えばルートセールスを行う複数の訪問担当者のスケジュールを管理するシステムである。なお、図１では、端末２が１台のみ示されているが、これに限らず、複数の端末２がスケジュール管理装置１と接続されていてもよい。
【００１９】
スケジュール管理装置１は、制御部や記憶部を備えたサーバであり、端末２は、制御部や記憶部を備えた、パソコンやタブレット等の端末である。端末２は、携帯電話回線やインターネット等の通信ネットワークを介してスケジュール管理装置１と通信を行う。
【００２０】
スケジュール管理装置１は、端末２からスケジュールの表示要求を取得したことに応じて、訪問担当者のスケジュールを端末２に表示させる（図１の（１））。スケジュール管理装置１は、端末２から、スケジュールに追加する予定として、訪問先の場所と、滞在予定時間とを示す情報を受け付けると（図１の（２））、訪問担当者のスケジュールに、訪問担当者が訪問可能な時間と、滞在予定時間とを示す一以上の候補情報を表示させる（図１の（３））。スケジュール管理装置１は、一以上の候補情報の中から端末２において選択された候補情報に基づいて、訪問担当者のスケジュールに仮予定を反映させる（図１の（４））。スケジュール管理装置１は、端末２からの指示に応じて、仮予定に対応する訪問先への訪問予定時間を調整する（図１の（５））。ここで、仮予定とは、訪問担当者の予定として確定されていない予定であり、訪問予定時間の調整が可能な予定である。
【００２１】
このようにすることで、端末２のユーザは、追加予定の訪問先への訪問が可能な訪問担当者を把握することができるとともに、追加予定の訪問先への訪問が可能な訪問担当者が当該訪問先に訪問するのに最適な時間を把握することができるので、訪問担当者のスケジュールを効率的に作成することができる。
【００２２】
図２は、本実施形態に係るスケジュール管理装置１の構成を示す図である。スケジュール管理装置１は、通信部１１と、記憶部１２と、制御部１３とを備える。
通信部１１は、携帯電話回線やインターネット等の通信ネットワークを介して端末２と通信を行う。
【００２３】
記憶部１２は、例えば、ＲＯＭ、ＲＡＭ及びハードディスク等である。記憶部１２は、スケジュール管理装置１を機能させるための各種プログラムを記憶する。記憶部１２は、スケジュール管理装置１の制御部１３を、スケジュール表示部１３１、予定受付部１３２、候補受付部１３３、反映部１３４、及び調整部１３５として機能させるスケジュール管理プログラムを記憶する。記憶部１２は、外部メモリ等の記憶媒体に記憶されたプログラムを読み取って記憶してもよく、通信ネットワークを介して外部機器からダウンロードされたプログラムを記憶してもよい。
【００２４】
また、記憶部１２は、複数の訪問担当者に割り当てられている訪問先の場所と、当該訪問先への訪問予定時間と、当該訪問先における訪問担当者の滞在予定時間とを示すスケジュールを訪問担当者ごとに記憶する。
【００２５】
制御部１３は、例えば、ＣＰＵである。制御部１３は、記憶部１２に記憶されている各種プログラムを実行することにより、スケジュール管理装置１に係る機能を制御する。制御部１３は、スケジュール表示部１３１と、予定受付部１３２と、候補受付部１３３と、反映部１３４と、調整部１３５とを備える。
【００２６】
［複数の訪問担当者への仮予定の追加］
制御部１３は、スケジュール表示部１３１と、予定受付部１３２と、候補受付部１３３と、反映部１３４と、調整部１３５とにより、複数の訪問担当者への仮予定の追加を行う。そして、制御部１３は、追加された仮予定の時間的な調整を行うリルート処理、及び仮予定を確定済予定に確定する確定処理を行う。以下に、複数の訪問担当者への仮予定の追加に係る機能について説明を行う。なお、確定済予定は、原則として訪問予定時間を変更することができない予定であるものとする。
【００２７】
スケジュール表示部１３１は、端末２からスケジュールの表示要求を取得したことに応じて、複数の訪問担当者のそれぞれのスケジュールを示すスケジュール管理画面を端末２に表示させる。
図３は、スケジュール管理画面の一例を示す図である。スケジュール管理画面には、第１表示領域Ａ１と、第２表示領域Ａ２と、第３表示領域Ａ３とが表示されている。
【００２８】
第１表示領域Ａ１には、複数の訪問担当者のそれぞれに対応して、訪問先への訪問予定時間と、当該訪問先における訪問担当者の滞在予定時間とを示す確定済予定の予定オブジェクトが含まれているスケジュールが表示されていることが確認できる。予定オブジェクトには、例えば、「Ａ社」、「Ｂ社」といった取引先名が示されている。端末２において予定オブジェクトが選択されると、スケジュール表示部１３１は、当該予定オブジェクトに対応する確定済予定の詳細を示す画面を当該端末２に表示させる。
【００２９】
第２表示領域Ａ２には、複数の取引先のそれぞれを示す情報がリスト表示される。例えば、スケジュール表示部１３１は、端末２において、「レポートを選択」と示されているボタンが選択されたことに応じて、第２表示領域Ａ２に表示する対象の複数の取引先を示すマスタ情報の選択を端末２から受け付ける画面を表示させ、当該画面においてマスタ情報が選択されたことに応じて、マスタ情報に含まれる複数の取引先を示す情報をリスト表示させる。
【００３０】
また、第２表示領域Ａ２の上部には、「リスト」と表示された第１切替用画像と、「地図」と表示された第２切替用画像とが表示されており、スケジュール表示部１３１は、第１切替用画像又は第２切替用画像が選択されたことに応じて、リスト表示と、地図表示とを切り替える。
【００３１】
スケジュール表示部１３１は、第２切替用画像が選択されたことに応じて地図表示制御部として機能し、端末２の表示部に表示されている第２表示領域Ａ２に、訪問先の場所に対応する地図を表示させるとともに、当該地図に、スケジュールに対応する場所を示す画像と、訪問順を示す画像とを表示させる。
【００３２】
図４は、スケジュール管理画面に地図が表示された状態の一例を示す図である。図４に示すように、スケジュール表示部１３１は、地図上に、取引先の位置を示す画像として、複数の円画像を表示させる。また、スケジュール表示部１３１は、スケジュールに対応する場所を示す画像として、訪問担当者「ユーザＡ」が訪問する複数の訪問先のそれぞれに対応する位置に、訪問担当者「ユーザＡ」を示す画像（例えば、訪問担当者の顔写真）を表示させる。また、スケジュール表示部１３１は、複数の訪問先のそれぞれへの訪問予定時間を表示させる。また、スケジュール表示部１３１は、訪問順を示す画像として、地図上において、訪問担当者が訪問する複数の訪問先のそれぞれに対応して、当該訪問担当者が次に訪問する訪問先を示す矢印を表示させる。このようにすることで、端末２のユーザは、当該地図を視認することにより、訪問担当者のスケジュールを容易に把握することができるとともに、訪問担当者がいつどこにいるかについても容易に把握することができる。
【００３３】
なお、図４に示す例では、一の訪問担当者のスケジュールに対応する場所を示す画像と、訪問順を示す画像とを表示させたが、これに限らない。スケジュール表示部１３１は、複数の訪問担当者のスケジュールに対応する場所を示す画像と、訪問順を示す画像とを表示させてもよい。この場合、スケジュール表示部１３１は、訪問先の場所を示す画像を、当該訪問先への訪問担当者ごとに異なる表示態様で表示させるようにしてもよい。このようにすることで、端末２のユーザは、当該地図を視認することにより、複数の訪問担当者のスケジュールを容易に区別し、複数の訪問担当者がいつどこにいるかについて容易に把握することができる。
【００３４】
また、スケジュール表示部１３１は、第２表示領域Ａ２に複数の取引先のそれぞれを示す情報がリスト表示されている場合に、当該リストにおいて一の取引先を示す情報が選択されると、当該取引先を示す情報を他の取引先を示す情報とは異なる態様で表示させる。図３に示す例では、取引先「Ｙ社」が選択されていることが確認できる。
【００３５】
スケジュール表示部１３１は、第２表示領域Ａ２において一の取引先を示す情報が選択されると、第３表示領域Ａ３に、当該取引先の場所（住所）や担当者等の情報、及び当該取引先における滞在予定時間等を表示させるとともに、「アサイン先を探す」と表示される候補選択ボタンを表示させる。ここで、滞在予定時間は、予め定められた時間（例えば、３０分）が表示されるものとするが、第３表示領域Ａ３において、変更を受け付けるようにしてもよい。
【００３６】
予定受付部１３２は、候補選択ボタンが選択されたことに応じて、複数の訪問担当者のそれぞれに対応するスケジュールのいずれかに追加予定の訪問先の場所と、当該訪問先における滞在予定時間を受け付ける。具体的には、予定受付部１３２は、第３表示領域Ａ３に表示されている取引先の住所と、滞在予定時間とを、スケジュールのいずれかに追加予定の訪問先の場所と、当該訪問先における滞在予定時間として受け付ける。
【００３７】
なお、予定受付部１３２は、端末２の表示部に表示されているスケジュール管理画面に含まれる地図を介して、スケジュールのいずれかに追加予定の訪問先の場所を受け付けてもよい。具体的には、予定受付部１３２は、図４に示す地図上に表示されている、取引先の位置を示す円画像を選択することにより、複数の訪問担当者のスケジュールのいずれかに追加予定の訪問先の場所を受け付けるようにしてもよい。このようにすることで、端末２のユーザは、地図上に表示されている訪問担当者の訪問先の位置と、追加予定の訪問先の位置とを確認しながら、訪問担当者が効率的に訪問可能な訪問先を追加予定の訪問先として選択することができる。
【００３８】
また、予定受付部１３２は、追加予定の訪問先への訪問に関する制約情報として、追加予定の訪問先への訪問が許可される時間に関連する情報、及び追加予定の訪問先への訪問が許可されていない時間に関連する情報の少なくともいずれかを受け付けてもよい。
【００３９】
例えば、追加予定の訪問先への訪問が許可される時間に関連する情報は、当該訪問先から予め提示されている情報、又は当該訪問先に過去に訪問した訪問担当者が把握している情報であり、訪問可能日時、訪問可能曜日、訪問可能時間帯、当該訪問先における関係者の予定、及び当該訪問先への訪問が許可されている訪問担当者の少なくともいずれかを示す情報である。
【００４０】
また、追加予定の訪問先への訪問が禁止される時間に関連する情報は、当該訪問先から予め提示されている情報、又は当該訪問先に過去に訪問した訪問担当者が把握している情報であり、訪問禁止日時、訪問禁止曜日、訪問禁止時間帯、当該訪問先における関係者が不在である日時、及び当該訪問先への訪問が許可されていない訪問担当者の少なくともいずれかを示す情報である。
【００４１】
候補受付部１３３は、複数の訪問担当者のそれぞれのスケジュールと、予定受付部１３２が受け付けた追加予定の訪問先の場所と、当該訪問先における滞在予定時間とに基づいて、追加予定の訪問先への訪問が可能な訪問担当者と、当該訪問担当者が訪問可能な時間と、滞在予定時間とを示す候補情報を端末２の表示部に表示させ、当該候補情報の選択を受け付ける。
【００４２】
具体的には、候補受付部１３３は、複数の訪問担当者のそれぞれのスケジュールを参照して、訪問担当者のスケジュールにおける空き時間を特定する。そして、候補受付部１３３は、特定した空き時間において、当該空き時間の直前の訪問先から追加予定の訪問先の場所への移動、追加予定の訪問先における滞在予定時間に基づく滞在、及び追加予定の訪問先から当該空き時間の直後の訪問先への移動が可能か否かを判定することによって、当該空き時間に対して候補情報の挿入が可能か否かを判定する。
【００４３】
ここで、候補受付部１３３は、一のユーザに対して連続する空き時間が複数存在する場合、複数の空き時間のそれぞれについて、候補情報の挿入が可能か否かを判定する。候補受付部１３３は、特定した空き時間に対して候補情報の挿入が可能であると判定すると、端末２に表示されている第１表示領域Ａ１における当該空き時間に対応する表示領域に、候補情報に対応する候補オブジェクトを表示させる。
【００４４】
図５は、スケジュール管理画面に候補情報が表示された状態の一例を示す図である。図５に示す例では、候補情報に対応する候補オブジェクトが、確定済予定に対応する予定オブジェクトと異なる表示態様で表示されていることが確認できる。例えば、ユーザＤのスケジュールには、「Ｙ社」と示される候補オブジェクトが、１２時台と、１７時台とに表示されていることが確認できる。
【００４５】
ここで、候補受付部１３３は、予定受付部１３２が制約情報を受け付けている場合、当該制約情報にさらに基づいて、候補情報を端末２の表示部に表示させてもよい。具体的には、候補受付部１３３は、複数の空き時間のそれぞれについて、予定受付部１３２が受け付けた制約情報に基づいて、当該空き時間に対応する訪問担当者が訪問可能な時間帯か否かを判定する。
【００４６】
候補受付部１３３は、制約情報として、追加予定の訪問先への訪問が許可される時間に関連する情報を受け付けている場合には、当該時間に対応する空き時間のみを訪問可能な時間帯と判定してもよい。また、候補受付部１３３は、制約情報として、追加予定の訪問先への訪問が許可されていない時間に関連する情報を受け付けている場合には、当該時間に対応する空き時間とは異なる空き時間を訪問可能な時間帯と判定してもよい。
【００４７】
候補受付部１３３は、制約情報にさらに基づいて特定した空き時間に対して候補情報の挿入が可能であると判定すると、端末２に表示されている第１表示領域Ａ１における当該空き時間に対応する表示領域に、候補情報に対応する候補オブジェクトを表示させる。
【００４８】
また、候補受付部１３３は、複数の訪問担当者のそれぞれに設定されている就業時間にさらに基づいて、候補情報を端末２の表示部に表示させてもよい。例えば、スケジュール管理装置１の管理者等が、複数の訪問担当者のそれぞれの就業時間を、９時から１８時に設定した場合、候補受付部１３３は、１８時以降の空き時間を訪問不可能な時間帯とし、１８時以前の空き時間の中から、訪問担当者が訪問可能な時間帯を特定する。
【００４９】
なお、複数の訪問担当者のそれぞれに設定されている就業時間はそれぞれ異なるものであってもよい。また、就業時間には、残業可能時間が含まれるようにしてもよい。例えば、スケジュール管理装置１の管理者等が、訪問担当者「ユーザＡ」の就業時間を、９時から２１時に設定し、１８時から２１時を残業可能時間として設定したとする。この場合、候補受付部１３３は、訪問担当者「ユーザＡ」について、９時から２１時における空き時間を訪問可能な時間帯とし、当該空き時間の中から、訪問可能な時間帯を特定してもよい。ここで、複数の訪問担当者のそれぞれに、異なる残業可能時間が設定されていてもよい。このようにすることで、スケジュール管理装置１は、訪問担当者の状況にあわせて、候補情報を表示させることができる。
【００５０】
また、候補受付部１３３は、複数の予定オブジェクト及び候補オブジェクトのそれぞれに対応する訪問場所のそれぞれへの移動時間を示すオブジェクトを、予定オブジェクト及び候補オブジェクトの直前に表示させるようにしてもよい。このようにすることで、端末２のユーザは、それぞれの訪問先への移動時間を容易に確認することができる。
【００５１】
反映部１３４は、選択された候補情報に基づいて、訪問担当者のスケジュールに、追加予定の訪問先の場所と、当該訪問先への訪問予定時間と、当該訪問先における滞在予定時間とを仮予定として反映させる。
【００５２】
具体的には、反映部１３４は、端末２において複数の候補オブジェクトのうち、一の候補オブジェクトが選択されたことに応じて、第３表示領域Ａ３に、選択された候補オブジェクトが示す訪問先を示す情報、訪問担当者、訪問予定時間及び滞在予定時間を表示させるとともに、仮予定の登録を受け付ける受付ボタン（不図示）を表示させる。
【００５３】
反映部１３４は、当該受付ボタンが選択されたことに応じて、訪問予定の訪問担当者のスケジュールに、追加予定の訪問先の場所と、当該訪問先への訪問予定時間と、当該訪問先における滞在予定時間とを仮予定として反映させる。反映部１３４は、端末２に表示されている第１表示領域Ａ１において、選択された候補オブジェクトに代えて仮予定オブジェクトを表示させるとともに、選択されなかった候補オブジェクトを非表示とする。
【００５４】
図６は、スケジュール管理画面に仮予定が表示された状態の一例を示す図である。図６に示す例では、ユーザＤのスケジュールに、「Ｙ社」と示された仮予定オブジェクトが、予定オブジェクト及び候補オブジェクトと異なる表示態様で表示されていることが確認できる。
【００５５】
調整部１３５は、一の訪問担当者のスケジュールに一以上の仮予定が表示されている場合には、仮予定に対応する訪問予定時間を調整する。具体的には、調整部１３５は、スケジュール管理画面において仮予定に対応する訪問予定時間を調整する処理であるリルート処理の実行指示を受け付けたことに応じて、反映部１３４により仮予定が反映された日付のスケジュールについて、訪問担当者の当該日付における最後の訪問先への訪問時間が早くなるように、仮予定に対応する訪問予定時間を調整するリルート処理を実行する。
【００５６】
図７は、リルート処理及び仮予定の確定を行う確定処理を説明する図である。図７には、リルート処理を行うスケジュールとして、訪問担当者「ユーザＤ」のスケジュールが示されている。図７（ａ）は、リルート処理が実行される前のスケジュールの一例を示す図である。図７（ａ）では、仮予定を示す仮予定オブジェクトとして、追加予定の訪問先「Ｘ社」、「Ｙ社」、「Ｚ社」に対応する仮予定オブジェクトが表示されていることが確認できる。また、スケジュールには、車の形をした第１画像ｉ１と、雲の形をした第２画像ｉ２が表示されていることが確認できる。
【００５７】
第１画像ｉ１は、端末２のユーザからリルート処理の実行指示を受け付ける画像である。調整部１３５は、第１画像ｉ１が選択されたことに応じて、第１画像ｉ１に対応する訪問担当者（ユーザＤ）のスケジュールのリルート処理を実行する。
【００５８】
図７（ｂ）は、リルート処理が実行された後のスケジュールの一例を示す図である。図７（ｂ）では、追加予定の訪問先「Ｘ社」、「Ｙ社」に対応する仮予定の訪問予定時間が、１２時から１４時２０分までの空き時間の間に調整されているとともに、追加予定の訪問先「Ｚ社」に対応する仮予定の訪問予定時間が、１４時４０分から１６時までの空き時間の間に調整されていることが確認できる。これにより、訪問担当者「ユーザＤ」の最後の訪問先は「Ｓ社」となり、調整前に比べて、最後の訪問先への訪問予定時間が早くなっていることが確認できる。このようにすることで、スケジュール管理装置１は、訪問担当者のスケジュールに含まれる空き時間を短くして、最後の訪問先への訪問予定時間が早くなるようにスケジュールを調整することができる。
【００５９】
第２画像ｉ２は、端末２のユーザから仮予定を確定する確定処理の実行指示を受け付ける画像である。反映部１３４は、第２画像ｉ２が選択されたことに応じて、第２画像ｉ２に対応する訪問担当者のスケジュールの確定処理を実行する。
【００６０】
図７（ｃ）は、確定処理が実行された後のスケジュールの一例を示す図である。図７（ｃ）では、追加予定の訪問先「Ｘ社」、「Ｙ社」、「Ｚ社」に対応する仮予定オブジェクトが、確定済予定を示す予定オブジェクトに変化していることが確認できる。
【００６１】
［一の訪問担当者のスケジュールを作成する］
制御部１３は、スケジュール表示部１３１と、予定受付部１３２と、反映部１３４と、調整部１３５とにより、一の訪問担当者への仮予定の追加を一括して行うことができる。そして、制御部１３は、追加された複数の仮予定のリルート処理、及び仮予定を確定する確定処理を行う。以下に、一の訪問担当者のスケジュールの作成に係る機能について説明を行う。
【００６２】
スケジュール管理画面の第１表示領域Ａ１において、一の訪問担当者が選択されると、スケジュール表示部１３１は、選択された一の訪問担当者の予定を示す担当者別スケジュール画面が表示される。図８は、担当者別スケジュール画面の一例を示す図である。図８に示すように、担当者別スケジュール画面には、第４表示領域Ａ４と、第５表示領域Ａ５と、第６表示領域Ａ６と、第７表示領域Ａ７とが表示されている。
【００６３】
第４表示領域Ａ４には、複数の取引先のそれぞれの場所を示す地図が表示されている。第５表示領域Ａ５には、複数の取引先のそれぞれを示す情報がリスト表示されている。第５表示領域Ａ５に表示されるリストには、取引先を追加予定の訪問先として選択するためのチェックボックスが設けられているとともに、「チェック済みレコードを予定リストに追加」と表示され、選択されている複数の取引先を、仮予定を示す予定リストに登録するための第１追加ボタンが表示されている。予定受付部１３２は、第１追加ボタンが選択されたことに応じて、チェックボックスがチェックされている複数の取引先の場所を、一の訪問担当者の一の日付に対応するスケジュールに追加予定の訪問先の場所として複数受け付ける。ここで、一の担当者は、担当者別スケジュール画面の上部に表示されている訪問担当者であり、図８に示す例では、ユーザＣである。また、一の日時は、担当者別スケジュール画面の上部に表示されている日付であり、図８に示す例では、２０１５年１２月１１日である。
【００６４】
第６表示領域Ａ６には、第５表示領域Ａ５において選択された取引先の情報が表示されるとともに、「予定リストに追加」と表示されている第２追加ボタンが表示されている。第２追加ボタンは、第６表示領域Ａ６に表示されている一の取引先を予定リストに登録するためのボタンである。予定受付部１３２は、第２追加ボタンが選択されたことに応じて、第６表示領域Ａ６に表示されている一の取引先の場所を、一の訪問担当者の一の日付に対応するスケジュールに追加予定の訪問先の場所として複数受け付ける。
【００６５】
反映部１３４は、予定受付部１３２が第５表示領域Ａ５及び第６表示領域Ａ６を介して複数受け付けた追加予定の訪問先の場所を複数の仮予定として、担当者別スケジュール画面に示されている一の訪問担当者の一の日付に対応するスケジュールに反映し、当該仮予定を第７表示領域Ａ７に表示させる。第７表示領域Ａ７には、追加予定の訪問先の場所として受け付けられた取引先に対応する情報が仮予定として表示される。また、第７表示領域Ａ７には、「リルート」と表示され、表示されている仮予定に対応する訪問予定時間を調整する処理であるリルート処理の実行指示を受け付ける実行ボタンが表示されている。
【００６６】
調整部１３５は、第７表示領域Ａ７に表示されている実行ボタンが選択されたことに応じて、一の訪問担当者の一の日付に対応するスケジュールについて、当該訪問担当者の当該日時における最後の訪問先への訪問時間が早くなるように、前記仮予定に対応する訪問予定時間を調整する。ここで、例えば、図８に示される第７表示領域Ａ７には、１０個の仮予定が示されている。１０個の仮予定の訪問順は、１０の階乗（３６２８８００通り）存在する。全ての訪問順について、最後の訪問先に訪問するまでの時間を算出して、訪問順の評価を行おうとすると、スケジュール管理装置１の処理負荷が大きくなることから、調整部１３５は、全ての訪問順について、途中までの訪問順の評価を行い、当該評価が低い訪問順を評価対象外とする。
【００６７】
具体的には、調整部１３５は、一の日付に対応するスケジュールに、仮予定が複数存在する場合には、複数の仮予定のいずれか一の仮予定に対応する訪問場所を最初の訪問場所とする。例えば、調整部１３５は、複数の仮予定に対応する複数の訪問場所のうち、所定の位置（例えば、訪問担当者の勤務地）から最も近い訪問場所を最初の訪問場所に決定する。そして、調整部１３５は、最初の訪問場所から他の全ての訪問場所に訪問した場合に取り得る全ての訪問順について、途中までの訪問順の評価を行う。
【００６８】
例えば、調整部１３５は、最初の訪問場所から、他の全ての訪問場所（例えば１０個の訪問場所）のうち、一部の訪問場所（例えば３個の訪問場所）に訪問する全ての訪問順について、訪問にかかる時間を算出し、当該訪問順を評価する。
【００６９】
そして、調整部１３５は、訪問にかかる時間が相対的に長い訪問順、すなわち、評価が低い訪問順を評価対象外とするとともに、以降の訪問順の評価を行うことにより、複数の仮予定の訪問順を、相対的に評価が高い訪問順に調整する。ここで、調整部１３５は、評価対象の訪問順について、以降の訪問順の評価を行う際に、再度、途中までの訪問順の評価を行い、評価が低い訪問順を評価対象外としてもよい。このように、取り得る訪問順を一度に評価せずに、途中までの訪問順の評価を行って、評価が高い訪問順に限定して、評価の継続を行うことで、スケジュール管理装置１は、短い時間で最適な訪問順に近い訪問順を特定することができる。
【００７０】
なお、調整部１３５は、リルート処理を実行した結果、訪問担当者の就業時間内に全ての訪問先への訪問が不可能である場合には、就業時間内での訪問が不可能である旨のエラーメッセージを担当者別スケジュール画面に表示させるようにしてもよい。また、調整部１３５は、リルート処理を実行した結果、訪問担当者の就業時間内に全ての訪問先への訪問が不可能である場合に、一以上の訪問予定先を訪問予定の対象外としてリルート処理を行うようにしてもよい。そして、調整部１３５は、リルート処理を実行した結果、訪問担当者の就業時間内に訪問対象として残した訪問予定先に訪問可能である場合には、訪問対象外とした訪問予定先を、仮予定から削除することにより、就業時間内に訪問が可能である旨を示すメッセージを担当者別スケジュール画面に表示させるようにしてもよい。
【００７１】
また、担当者別スケジュール画面において、リルート処理が行われた場合、反映部１３４は、リルート処理後の仮予定を確定済予定に変更してもよい。また、反映部１３４は、リルート処理後の仮予定を確定済予定に変更する確定処理を受け付けるボタンを第７表示領域Ａ７に表示させ、当該ボタンが選択されたことに応じてリルート処理後の仮予定を確定済予定に変更してもよい。
【００７２】
［スケジュール管理画面における訪問先の追加に係る処理の流れ］
続いて、スケジュール管理装置１における処理の流れについて説明する。図９は、スケジュール管理画面が表示されている場合における訪問先の追加に係るスケジュール管理装置１の処理の流れを示すフローチャートである。
【００７３】
まず、予定受付部１３２は、図３の第３表示領域Ａ３において「アサイン先を探す」と示される候補選択ボタンが押下されたことにより、スケジュールに追加予定の訪問先の情報を受け付けたか否かを判定する（Ｓ１）。予定受付部１３２は、追加予定の訪問先の情報を受け付けたと判定すると、Ｓ２に処理を移し、追加予定の訪問先の情報を受け付けていないと判定すると、Ｓ３に処理を移す。
Ｓ２において、候補受付部１３３は、第１表示領域Ａ１に表示されている複数の訪問担当者のスケジュールに、候補情報に対応する候補オブジェクトを表示させる。
【００７４】
続いて、反映部１３４は、スケジュールに表示されている候補情報に対応する候補オブジェクトが選択されたか否かを判定する（Ｓ３）。反映部１３４は、候補オブジェクトが選択されたと判定すると、Ｓ４に処理を移し、候補オブジェクトが選択されていないと判定すると、Ｓ５に処理を移す。
Ｓ４において、反映部１３４は、選択された候補オブジェクトに対応する候補情報に基づいて、スケジュールに仮予定を反映させる。
【００７５】
続いて、調整部１３５は、スケジュールに表示されているリルート処理の実行指示を受け付ける第１画像ｉ１が選択されたか否かを判定することにより、リルート処理の実行指示を受け付けたか否かを判定する（Ｓ５）。調整部１３５は、リルート処理の実行指示を受け付けたと判定すると、Ｓ６に処理を移し、リルート処理の実行指示を受け付けていないと判定すると、Ｓ７に処理を移す。
Ｓ６において、調整部１３５は、第１画像ｉ１に対応する訪問担当者のスケジュールのリルート処理を実行する。
【００７６】
続いて、反映部１３４は、スケジュールに表示されている仮予定を確定する確定処理の実行指示を受け付ける第２画像ｉ２が選択されたか否かを判定することにより、確定処理の実行指示を受け付けたか否かを判定する（Ｓ７）。反映部１３４は、確定処理の実行指示を受け付けたと判定すると、Ｓ８に処理を移し、確定処理の実行指示を受け付けていないと判定すると、Ｓ１に処理を移す。
Ｓ８において、反映部１３４は、第２画像ｉ２が選択されたことに応じて、第２画像ｉ２に対応する訪問担当者のスケジュールの確定処理を実行する。これにより、仮予定が確定済予定に変更される。
【００７７】
［担当者別スケジュール画面における訪問先の追加に係る処理の流れ］
図１０は、担当者別スケジュール画面における訪問先の追加に係るスケジュール管理装置１の処理の流れを示すフローチャートである。
【００７８】
まず、予定受付部１３２は、図８に示す担当者別スケジュール画面において、第５表示領域Ａ５に表示されている第１追加ボタン、又は第６表示領域Ａ６に表示されている第２追加ボタンが選択されたことによって、追加予定の訪問先の情報を受け付けたか否かを判定する（Ｓ１１）。予定受付部１３２は、追加予定の訪問先の情報を受け付けたと判定すると、Ｓ１２に処理を移し、追加予定の訪問先の情報を受け付けていないと判定すると、Ｓ１３に処理を移す。
Ｓ１２において、反映部１３４は、予定受付部１３２が受け付けた追加予定の訪問先の情報を複数の仮予定として、一の訪問担当者に対応するスケジュールに反映させる。
【００７９】
続いて、調整部１３５は、図８に示す担当者別スケジュール画面において、第７表示領域Ａ７に表示されているリルート処理の実行指示を受け付ける実行ボタンが選択されたか否かを判定することにより、リルート処理の実行指示を受け付けたか否かを判定する（Ｓ１３）。調整部１３５は、リルート処理の実行指示を受け付けたと判定すると、Ｓ１４に処理を移し、リルート処理の実行指示を受け付けていないと判定すると、Ｓ１１に処理を移す。
Ｓ１４において、調整部１３５は、担当者別スケジュール画面に対応する訪問担当者のスケジュールのリルート処理を実行する。
【００８０】
続いて、反映部１３４は、リルート処理後の仮予定を確定済予定に変更する確定処理を行う（Ｓ１５）。なお、反映部１３４は、リルート処理後の仮予定を確定済予定に変更する確定処理を受け付けるボタンを第７表示領域Ａ７に表示させ、当該ボタンが選択されたことに応じてリルート処理後の仮予定を確定済予定に変更してもよい。
【００８１】
［本実施形態における効果］
以上のとおり、本実施形態に係るスケジュール管理装置１は、スケジュールに追加予定の訪問先の場所と、当該訪問先における滞在予定時間とを受け付け、複数の訪問担当者のそれぞれのスケジュールと、追加予定の訪問先の場所と、当該訪問先における滞在予定時間とに基づいて、追加予定の訪問先への訪問が可能な訪問担当者と、当該訪問担当者が訪問可能な時間と、滞在予定時間とを示す候補情報を表示部に表示させ、当該候補情報の選択を受け付け、選択された候補情報に基づいて、訪問担当者のスケジュールに、追加予定の訪問先の場所と、当該訪問先への訪問予定時間と、当該訪問先における前記滞在予定時間とを仮予定として反映させる。このようにすることで、端末２のユーザは、追加予定の訪問先への訪問が可能な訪問担当者を把握することができるとともに、追加予定の訪問先への訪問が可能な訪問担当者が当該訪問先に訪問するのに最適な時間を把握することができるので、訪問担当者のスケジュールを効率的に作成することができる。
【００８２】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【００８３】
１・・・スケジュール管理装置、１１・・・通信部、１２・・・記憶部、１３・・・制御部、１３１・・・スケジュール表示部、１３２・・・予定受付部、１３３・・・候補受付部、１３４・・・反映部、１３５・・・調整部、２・・・端末
【図１】
0006741443.tif 000002
【図２】
0006741443.tif 000003
【図３】
0006741443.tif 000004
【図４】
0006741443.tif 000005
【図５】
0006741443.tif 000006
【図６】
0006741443.tif 000007
【図７】
0006741443.tif 000008
【図８】
0006741443.tif 000009
【図９】
0006741443.tif 000010
【図１０】
0006741443.tif 000011